(57)【特許請求の範囲】
【請求項１】
上面に吸込グリルを設けたケーシングと、前記ケーシング内のフレームに備えた移動経路に移動可能に保持された板状のフィルタと、前記フィルタに接触して前記フィルタを清掃する清掃部および前記清掃部の前記フィルタを挟んで対向する側に配置されるフィルタ受け部とからなる清掃装置とを備えてなる空気調和機において、
前記清掃装置および前記フィルタに、前記清掃装置および前記フィルタを互いに位置決めする位置決め手段が設けられてなり、
前記移動経路には前記フィルタを駆動する駆動部が前記フィルタの両側部に対応して設けられており、
前記フィルタの両側部には前記駆動部に係合する係合手段が設けられており、
前記位置決め手段が、前記フィルタ受け部に設けられた複数の係止片と、前記フィルタに設けられた前記係止片に係脱する係止孔とからなるとともに、前記フィルタの一方の係合手段側と他方の係合手段側に少なくとも一つずつ配置されていることを特徴とする空気調和機。
【発明の詳細な説明】
【技術分野】
【０００１】
本発明は、空気調和機に係わり、より詳細には、清掃装置に対しフィルタが傾かないよう位置決めできるようにした構造に関する。
【背景技術】
【０００２】
従来の空気調和機は、除塵用に装着されるフィルタの先端部を、変形があったとしても引っ掛かりや離脱が生じることなく、フィルタ支持部に円滑に導ける導入手段を備えたものとして、図８（Ａ）および図８（Ｂ）に示すように、空気吸込口ａと空気吹出口ｂとを備え、内部に少なくとも図示しない送風ファンが収納された本体キャビネットｃ内に、フィルタ支持部ｄによって先端部ｆが支持されるフィルタｅが着脱可能に設けられてなる空気調和機において、前記フィルタｅの先端部ｆが、同先端部ｆを導く導入手段ｇにより前記フィルタ支持部ｄに順次導入されるようにしたものが開示されていた（例えば、特開２００７−１９２４５６号公報参照。）。
【０００３】
上述した構成により、フィルタｅは、その先端部ｆがフィルタ支持部ｄによって着脱可能に保持されるとともに、両側部もフィルタ支持部ｄによって移動可能に保持されていることから、例えばフィルタｅの移動時に傾きが生じるおそれがなく円滑に移動ができるようになっている。
【０００４】
また、フィルタ清掃のメンテナンスが容易な空気調和機としては、図９に示すように、ケーシングｈ内の室内熱交換器ｉの前方および前方側に形成された空間に、フィルタ移動のためのＵ字状の移動経路ｊを設け、移動経路ｊは、ガイド手段ｋにより形成され、ガイド手段ｋにフィルタｌの両端部が保持され、Ｕ字状の移動経路ｊの内側には駆動手段ｍが設けられ、フィルタｌを前後方向に往復移動させ、また、移動経路ｊの途中に清掃装置ｎが設けられて、フィルタｌの清掃を行うものが開示されていた（例えば、特開２００７−１００９７５号公報参照。）。
【０００５】
しかしながら、フィルタｌと、このフィルタｌを清掃するための清掃装置ｎとをいっしょに取り外せるように構成したものであることから、これらのフィルタｌおよび清掃装置ｎを取り付ける際、このフィルタｌの位置決めおよび清掃部の取り付けを同時に行わなければならず、ユーザにとって作業性がよくないという問題点を有していた。
【０００６】
また、図示はしないが、フィルタの両側部にラックが設けられ、フィルタを動作させて清掃を行うようにしたフィルタ清掃装置においては、左右で噛み合う位置がずれるとフィルタが円滑に動かなくなってしまうおそれがあった。
【特許文献１】特開２００７−１９２４５６号公報
【特許文献２】特開２００７−１００９７５号公報
【発明の開示】
【発明が解決しようとする課題】
【０００７】
そこで、本発明は上述した課題を解決するためになされたものであって、その目的は、ケーシング内のフレーム部に装着される清掃装置に対しフィルタを傾きなく位置決めできるようにした空気調和機を提供することにある。
【課題を解決するための手段】
【０００８】
上述した目的を達成できるように、ケーシング内のフレーム部に装着される清掃装置に対しフィルタを傾きなく位置決めできるように構成するため、本発明は以下に示す特徴を備えている。
【０００９】
上面に吸込グリルを設けたケーシングと、同ケーシング内のフレームに備えた移動経路に移動可能に保持された板状のフィルタと、同フィルタに接触して清掃する清掃部と、同清掃部との間に同フィルタを通すように配置されるフィルタ受け部とからなる清掃装置とを備えてなる空気調和機において、
前記清掃装置および前記フィルタに、同清掃装置および同フィルタを互いに位置決めする位置決め手段が設けられてなることを特徴としている。
【００１０】
また、前記位置決め手段が、前記フィルタ受け部に設けられた複数の係止片と、前記フィルタに設けられた前記係止片に係脱する係止孔とからなることを特徴としている。
【発明の効果】
【００１１】
本発明によれば、ケーシング内のフレーム部に装着される清掃装置に対しフィルタを傾きなく位置決めできるようにした空気調和機を提供できる。
【発明を実施するための最良の形態】
【００１２】
次に、本発明の実施形態について図面を参照しながら説明する。
【００１３】
図１は本発明による空気調和機の説明図で、（Ａ）は外観斜視図、（Ｂ）は断面図であり、図２は本発明による空気調和機の説明図で、（Ａ）は開閉グリルを取り外した斜視図、（Ｂ）は開閉グリルと吸込グリルを取り外した斜視図であり、図３はフィルタの清掃位置を示す要部説明図で、（Ａ）はフィルタを熱交換器の前方側に移動させた状態を示す断面図、（Ｂ）は後方側に移動させた状態を示す断面図であり、図４は本発明による空気調和機の要部説明図で、（Ａ）は前部フレームおよび後部フレームからなるフレーム部の斜視図、（Ｂ）は後部フレームから前部フレームが離脱する状態を示す斜視図であり、図５は図１（Ａ）に示すＡーＡ断面図であり、図６は本発明による空気調和機の要部説明図で、（Ａ）はフィルタの斜視図、（Ｂ）は清掃装置を付設したフィルタの斜視図であり、図７は図６（Ｂ）に示すＢーＢ断面図で、（Ａ）はフィルタが停止位置に位置決めされた状態を示し、（Ｂ）はフィルタが停止位置から移動し始めた状態を示す。
【００１４】
本発明による空気調和機は、図１（Ａ）および図１（Ｂ）と、図２（Ａ）および図２（Ｂ）と、図３（Ａ）および図３（Ｂ）と、図４（Ａ）および図４（Ｂ）とに示すように、吸込グリル１５ａを上面に備えたケーシング１５内に設けられたフレーム部１が、熱交換器９の両側を支持する支持部１ａを備えた左右の支持板１ｂと、同支持板１ｂを連結する連結板１ｃとからなる後部フレーム１ｄと、同後部フレーム１ｄの下部に送風ケーシング１ｅを接合してなるベース部１ｆと、前記後部フレーム１ｄの前部に、前記熱交換器９の頂部に対応する接離部Ｐにおいて接離可能となるように取り付けられた前部フレーム１ｇとからなる構成になっている。
【００１５】
前記前部フレーム１ｇの上面部および前面部に設けられた吸込口２と、前記送風ケーシング１ｅの前端部に設けられた吹出口３とを結ぶ空気通路には、前記吸込口２の内面側に沿って配され前後方向の中間位置に清掃装置５を備えた板状のフィルタ４と、前部熱交換器７と後部熱交換器８とで断面逆Ｖ字状に形成され、等間隔で平行に並べられた多数のフィンおよびこのフィンに直交する伝熱管９ａからなる前記熱交換器９と、送風ファン１１とが設けられている。
【００１６】
なお、前記前部フレーム１ｇの前面部に設けられた吸込口２は、図１（Ｂ）に、前面パネル１６に備えた開閉グリル１６ａの開放位置を二点鎖線で示すように、同開閉グリル１６ａを矢印のように回動することによって開放され、前記上面部の吸込口２から吸い込まれるのと同時に被空調室の空気を吸い込めるようになっている。
【００１７】
前記吸込口２から吸い込まれた空気は、この吸込空気中に含まれた塵埃が前記フィルタ４により捕捉されることによって清浄化されたのち、前記熱交換器９により熱交換されて前記送風ファン１１で前記吹出口３に送出されるようになっている。
【００１８】
前記吹出口３には、左右方向の風向を偏向する左右風向板１２と、上下方向の風向を偏向するディフューザ１３および上下風向板１４とが回動自在に軸支されている。
【００１９】
前記フィルタ４は、図６（Ａ）および図６（Ｂ）に示すように、枠部４ｂの内側に塵埃を捕捉するための網部４ａが張設され、両側部にはラックからなる従動歯車４ｃを備えた構成になっており、また、同フィルタ４に捕捉されてその表面に付着した塵埃を除去するため、同フィルタ４の前後方向の中間位置に前記清掃装置５が着脱可能に付設される構成になっている。
【００２０】
前記従動歯車４ｃには、前記フィルタ４を移動させるための駆動手段として前記前部フレーム１ｇに設けられ、図２（Ａ）および図２（Ｂ）に示すフィルタ駆動部１８に連係された図示しない駆動歯車が歯合しており、前記フィルタ４の清掃時に、前記フィルタ駆動部１８で駆動される駆動歯車に歯合した前記従動歯車４ｃにより、前記フィルタ４が前記清掃装置５を通過するように移動させる構成になっている。
【００２１】
前記清掃装置５は、図１（Ｂ）に示すように、前記フィルタ４の前端部および後端部間の中間位置に設けられており、また、同フィルタ４は、図１（Ｂ）に示す領域Ａの位置に、前記吸込口２の内面側に沿って形成された移動経路６により、前記前部熱交換器７の前方側、前記前部熱交換器７および前記後部熱交換器８の上方側、および同後部熱交換器８の後方側に夫々形成された空間内に移動可能な状態で装着されている。
【００２２】
なお、前記清掃装置５は、図２（Ａ）および図２（Ｂ）と、図７（Ａ）および図７（Ｂ）とに示すように、前記フィルタ４に接触することにより同フィルタ４に付着した塵埃を除去するためのブラシ５ａと、同ブラシ５ａを駆動するブラシ駆動モータ５ｂと、前記ブラシ５ａで除去した塵埃を貯留する貯留部５ｃとを備えた清掃部５’と、同清掃部５’との間に通した前記フィルタ４を受けるように配置されたフィルタ受け部５’’とで構成されており、前記貯留部５ｃに貯留された塵埃は、前記清掃部５’を所定の清掃運転時間毎に前記フィルタ４から取り外したのち、外部に取り出されて廃棄されることになる。
【００２３】
前記フィルタ４は、図１（Ｂ）に示す領域Ａの位置に装着されることで、前記清掃装置５の前部の範囲が前記前部フレーム１ｇの前面部に設けられた前記吸込口２に対向し、前記清掃装置５の後部の範囲が前記前部フレーム１ｇの上面部に設けられた前記吸込口２に対向するようになっている。
【００２４】
その際、前記清掃装置５および前記フィルタ４には、図７（Ａ）および図７（Ｂ）に示すように、前記清掃装置５に対し前記フィルタ４を位置決めするための位置決め手段が設けられており、これによって、前記フィルタ４を前記清掃装置５に対し傾きなく、且つ移動可能に保持できるようになる。
【００２５】
なお、前記清掃装置５は、図２（Ａ）および図２（Ｂ）に示すように、前後に移動する前記フィルタ４の移動方向に直交するように、前記前部フレーム１ｇに横長状に固定されており、固定されたこの清掃装置５に対し前記フィルタ４が傾きなく、且つ移動可能に保持されることになる。
【００２６】
前記フィルタ４を位置決めする位置決め手段は、図６（Ａ）と、図７（Ａ）および図７（Ｂ）とに示すように、前記フィルタ受け部５’’に設けられ、付勢ばね５ｅにより前記清掃部５’の側に向けて付勢される複数の係止片５ｄと、同係止片５ｄに対し係脱可能となるように前記フィルタ４に設けられた複数の係止孔４ｄとで構成されている。
【００２７】
これにより、前記フィルタ４が、図１（Ｂ）に示す領域Ａの位置に装着された際、図６（Ａ）と、図７（Ａ）とに示すように、前記複数の係止孔４ｄに前記複数の係止片５ｄが係止して、前記清掃装置５に対し傾きがない姿勢で保持される。
【００２８】
次に、前記フィルタ４の清掃時には、同フィルタ４が前記駆動手段により前記移動経路６に沿って移動することになり、その際、図７（Ｂ）に示すように前記複数の係止孔４ｄに係止していた前記複数の係止片５ｄが離脱する。
【００２９】
前記フィルタ４は、前記複数の係止孔４ｄに前記複数の係止片５ｄが係止して、前記清掃装置５に対し傾きがない姿勢で保持された際、この傾きがない姿勢のままで前記従動歯車４ｃが前記フィルタ駆動部１８で駆動される駆動歯車に歯合していることから、前記駆動手段により前記移動経路６に沿って円滑に移動することになる。
【００３０】
また、前記係止片５ｄは、前記係止孔４ｄに対し前記付勢ばね５ｅによって付勢される構成になっており、これによって、係止時には、図７（Ａ）に示すように前記係止孔４ｄに向けて付勢される一方、離脱時には、図７（Ｂ）に示すように前記係止孔４ｄから離脱する側に移動できる構成になっており、これによって、前記係止孔４ｄに対して係止する側への動作および離脱する側への動作が円滑になる。
【００３１】
また、前記フィルタ４は、図６（Ｂ）に示すように前記清掃装置５が付設されることによって、同清掃装置５に対し傾きがない姿勢で保持されるとともに、この清掃装置５といっしょに着脱することが可能であることから、前記前部フレーム１ｇに備えた前記移動経路６への着脱が容易になり、且つ正確に着脱できるようになる。
【００３２】
前記フィルタ４は可撓性を有する一方、前記熱交換器９の前方側および上方側に対応して、前記前部フレーム１ｇに設けられた前記フィルタ４の移動経路６は、その下端部からＵ字状に折り返されて形成されている。これにより、前記フィルタ４は、前記清掃装置５の後部の範囲を清掃する際、Ｕ字状に折り返されて形成された前記前部フレーム１ｇの移動経路６に沿って、図１（Ｂ）に破線で示すように、その前端部４’の側から移動することになる。
【００３３】
その際、前記フィルタ４は、前記前部フレーム１ｇにＵ字状に折り返されて形成された前記移動経路６に沿って移動しながら、図３（Ａ）に両矢印Ｂで範囲を示す位置まで移動する。
【００３４】
これにより、前記フィルタ４は、前記清掃装置５の後部の範囲が同清掃装置５に備えた前記ブラシ５ａによって清掃されることになり、除去された塵埃が前記貯留部５ｃに貯留されることになる。
【００３５】
また、前記フィルタ４は可撓性を有する一方、前記熱交換器９の後方側に対応して、前記後部フレーム１ｄに設けられた前記フィルタ４の移動経路６は、その後端部から下方に折り曲げられて形成されている。これにより、前記フィルタ４は、前記清掃装置５の前部の範囲を清掃する際、下方に折り曲げられて形成された前記後部フレーム１ｄの移動経路６に沿って、図１（Ｂ）に破線で示すように、その後端部４’’の側から移動することになる。
【００３６】
その際、前記フィルタ４は、前記後部フレーム１ｄに下方に折り曲げられて形成された前記移動経路６に沿って移動しながら、図３（Ｂ）に両矢印Ｃで範囲を示す位置まで移動する。
【００３７】
これにより、前記フィルタ４は、前記清掃装置５の前部の範囲が同清掃装置５に備えた前記ブラシ５ａによって清掃されることになり、除去された塵埃が前記貯留部５ｃに貯留されることになる。
【００３８】
前記移動経路６は、図１（Ｂ）と、図３（Ａ）および図３（Ｂ）とに示すように、前記フィルタ４が前記熱交換器９を構成する前部熱交換器７の前方側に形成された空間内と、同前部熱交換器７および前記後部熱交換器８の上方側と、同後部熱交換器８の後方側に形成された空間内で夫々移動できるように形成されている。
【００３９】
より詳細には、前記移動経路６の一部は、前記前部熱交換器７の前方側に形成された空間内と、前記後部熱交換器８の後方側とに形成された空間内とにおいて、断面コ字状に形成されたガイド手段１０からなる構成になっている。
【００４０】
また、前記移動経路６の他の部分は、前記前部熱交換器７および前記後部熱交換器８の上方側において、図５に示す底面１０ａおよび側面１０ｂにより断面Ｌ字状に形成された補助ガイド手段と、この補助ガイド手段をなす前記底面１０ａに対向する前記吸込グリル１５ａの裏面１５ｂとからなる構成になっている。
【００４１】
そして、前記移動経路６は、前記後部熱交換器８の後方側に形成された空間内のガイド手段１０が、前記前部熱交換器７の前方側に形成された空間内のガイド手段１０に連続形成され、これら前部熱交換器７および後部熱交換器８の上方側における前記底面１０ａおよび前記側面１０ｂからなる補助ガイド手段と、接合部Ｐにおいて接離可能となるように分割されている。
【００４２】
これにより、例えば前記移動経路６を備えた前部フレーム１ｇを前方に取り外す際、前記接合部Ｐが、前記熱交換器９の上端部に設けられた図５に示すフィルタガイド１７に凸設した凸部１７ａの上方を通過するように、前記前部フレーム１ｇを図１（Ｂ）に示す高さＨだけ上方に持ち上げることで取り外すことができる。
【００４３】
空気調和機の室内機を被空調室の壁面に壁掛け設置する場合、被空調室の天井面と室内機の上面との間は、約５センチメートル程度の隙間を確保するのが一般的であり、前記高さＨは、この約５センチメートル程度の隙間より小さくなるように構成されている。
【００４４】
また、前記前部フレーム１ｇの上面部に設けられた前記吸込口２に対応する前記吸込グリル１５ａの下部には、前記フィルタ４をガイドする底面１０ａおよび側面１０ｂからなる断面Ｌ字状の補助ガイド手段が設けられており、この補助ガイド手段に沿って、図５に二点鎖線で示す前記フィルタ４の両側下面および両側端が円滑にガイドされて移動できるようになっている。
【００４５】
その際、前記フィルタ４の両側上面は、図５に示すように、前記補助ガイド手段の底面１０ａに対向する前記吸込グリル１５ａの裏面１５ｂに沿って、円滑にガイドされて移動できるようになっている。
【００４６】
これにより、前記前部フレーム１ｇの上面部の吸込口２に対応する前記吸込グリル１５ａの下部における前記フィルタ４の両側部は、前記補助ガイド手段および前記裏面１５ｂによって円滑にスライドできるように保持された構成になっており、とくに、前記フィルタ４の両側上面をガイドする手段を前記吸込グリル１５が兼ねているので、該箇所は前記底面１０ａおよび前記側面１０ｂからなる断面Ｌ字状の補助ガイド手段として形成すればよく、断面コ字状のガイド手段１０として形成しなくてもよい。
【００４７】
前記補助ガイド手段は、例えば断面コ字状に形成された場合には、同断面コ字形状の上面部に前記吸込グリル１５ａが重設された構成になるが、断面Ｌ字状に形成されることで、空気調和機の室内機として、前記上面部の厚みに相当する約３ミリメートル程度を削減し高さ寸法を小型化できて軽量化をはかれる構成になり、また、同断面コ字形状の上面部の厚みに相当する素材（合成樹脂）の使用量を低減できる構成になる。
【００４８】
なお、前記吸込グリル１５ａは、前記補助ガイド手段を断面コ字状に形成して、同断面コ字形状の上面部に重設される構成にしなくても、吸込グリルとしての充分な強度をもたせることができるので強度不足になるおそれはない。
【００４９】
以上説明したように、本構成によれば、前記フレーム部１を構成する前部フレーム１ｇの前面部および上面部に設けられた前記吸込口２に沿って装着され、前記清掃装置５を付設した前記フィルタ４を傾きなく前後に円滑に移動させて清掃できるようになり、前記熱交換器９のメンテナンスや取り外し時には、上述した構成でなる前記移動経路６を備えた前記前部フレーム１ｇを前方に容易に取り外すことができて、前面側を開放できるようにした空気調和機となる。
【図面の簡単な説明】
【００５０】
【図１】本発明による空気調和機の説明図で、（Ａ）は外観斜視図であり、（Ｂ）は断面図である。
【図２】本発明による空気調和機の説明図で、（Ａ）は開閉グリルを取り外した斜視図であり、（Ｂ）は開閉グリルと吸込グリルを取り外した斜視図である。
【図３】フィルタの清掃位置を示す要部説明図で、（Ａ）はフィルタを熱交換器の前方側に移動させた状態を示す断面図であり、（Ｂ）は後方側に移動させた状態を示す断面図である。
【図４】本発明による空気調和機の要部説明図で、（Ａ）は前部フレームおよび後部フレームからなるフレーム部の斜視図であり、（Ｂ）は後部フレームから前部フレームが離脱する状態を示す斜視図である。
【図５】図１（Ａ）に示すＡーＡ断面図である。
【図６】本発明による空気調和機の要部説明図で、（Ａ）はフィルタの斜視図であり、（Ｂ）は清掃装置を付設したフィルタの斜視図である。
【図７】図６（Ｂ）に示すＢーＢ断面図で、（Ａ）はフィルタが停止位置に位置決めされた状態を示し、（Ｂ）はフィルタが停止位置から移動し始めた状態を示す。
【図８】従来例による空気調和機の説明図で、（Ａ）はフィルタ先端部がフィルタ支持部で保持される前の状態を示す斜視図、（Ｂ）は保持される状態を示す斜視図である。
【図９】従来例による空気調和機の断面図である。
【符号の説明】
【００５１】
１  フレーム部
１ａ  支持部
１ｂ  支持板
１ｃ  連結板
１ｄ  後部フレーム
１ｅ  送風ケーシング
１ｆ  ベース部
１ｇ  前部フレーム
２  吸込口
３  吹出口
４  フィルタ
４ａ  網部
４ｂ  枠部
４ｃ  従動歯車
５  清掃装置
５’  清掃部
５’’  フィルタ受け部
５ａ  清掃ブラシ
５ｂ  ブラシ駆動モータ
５ｃ  貯留部
６  移動経路
７  前部熱交換器
８  後部熱交換器
９  熱交換器
９ａ  伝熱管
１０  ガイド手段
１０ａ  底面
１０ｂ  側面
１１  送風ファン
１２  左右風向板
１３  ディフューザ
１４  上下風向板
１５  ケーシング
１５ａ  吸込グリル
１５ｂ  裏面
１６  前面パネル
１６ａ  開閉グリル
１７  フィルタガイド
１７ａ  凸部
１８  フィルタ駆動部
【図１】
0004915351.tif 000002
【図２】
0004915351.tif 000003
【図３】
0004915351.tif 000004
【図４】
0004915351.tif 000005
【図５】
0004915351.tif 000006
【図６】
0004915351.tif 000007
【図７】
0004915351.tif 000008
【図８】
0004915351.tif 000009
【図９】
0004915351.tif 000010